(57)【特許請求の範囲】
【請求項１】
屈曲部が施されているという形状であるなわ編み針の片側一方のみの端に、筒状の穴が開いているなわ編み針。
【請求項２】
屈曲部が施されているという形状であるなわ編み針に開いている筒状の穴の側壁面の厚さは、この筒状の穴に棒針の針先部分をはめ込んだ時に棒針となわ編み針が一本の編み針のような、なめらかな外形となるためにも、使用時に必要な程度の強度を有する位であるもののなるべく薄くあり、またこの筒状の穴に針先部分をはめ込んだ時に、毛糸がひっかかる等の問題が起きないように、筒状の穴の側壁面の外面から筒状の穴の入り口にかけての形は流線形のなめらかな形であり、このような筒状の穴、筒状の穴の側壁面の厚さ、及び、筒状の穴の入り口の形を持つなわ編み針。
【発明の詳細な説明】
【技術分野】
【０００１】  本発明は、棒針を用いた手編みのなかで行う場合があるなわ編みやその他の模様編み等に係わるものであり、詳しくは、なわ編みやその他の模様編み等を行う場合に使用する編み具である『屈曲部が施されているという形状の特徴をもっているなわ編み針』に関するものである。
【背景技術】
【０００２】  図５から図９を参照して説明する。図５の編み目記号は、図６から図９にかけて示されるような、編み目２目と２目が交差して編まれるなわ編みを行うことを示した記号である。このなわ編みを行う場合、交差される編み目である図６のｃとｄの２目と、ｅとｆの２目は、編まれる順番が前後されなければならない。後に位置する編み目のｅとｆの方が、前に位置するｃとｄに先んじて編まれなければならない。このとき、編み目の順番を前後させるために、編み目のｅとｆよりも後から編まれる編み目のｃとｄを、とりあえず編まずに待機させて、休ませておく必要がある（この待機させて休ませておいた編み目は「休み目」と呼ばれる。この後、このような編み目には「休み目」という言葉を用いることとする。）。この休み目の際に用いられるのが『屈曲部が施されているという形状の特徴をもっているなわ編み針』である。さらに、後に休み目のｃとｄを編む際に、休み目をこのなわ編み針からもとの棒針へ戻してから編まなくとも、なわ編み針に休み目をかけたままそのなわ編み針で休み目のｃとｄを編み進めることが出来るようになっているのが、この『屈曲部が施されているという形状の特徴をもっているなわ編み針』である。また、編み手によっては困難な方法となり得る方法ではあるが、編み手の編み進め方の好みによっては、このなわ編み針からもとの棒針へ編み目を戻してから編んでいくことも、編み進め方の１つの方法として成立する。
【発明の開示】
【発明が解決しようとする課題】
【０００３】  前述したような従来の『屈曲部が施されているという形状の特徴をもっているなわ編み針』を使用する場合、不便な点があった。それは、休み目とするための編み目をこのなわ編み針に移しかえる、図６から図７にかけて示されるような行程において、休み目とする編み目１目１目を棒針から拾うようにして行う「拾い目」を行い、このなわ編み針へ移しかえなければならなかった、という点である。【０００４】  捧針から編み目１目１目を拾うようにして行う「拾い目」をして、このなわ編み針へ編み目を移しかえると、「拾い目」の行程で編み目を落としてしまったりする危険性があるし、また、もし編み目を落としてしまった場合、その落としてしまった編み目を再び拾おうとしたときに、編み目の向きを変えて拾ってしまったりする危険性もある（編み目の向きを変えてしまったまま編み続けていくと、出来上がりの編み目がそろわない見映えとなってしまう。）。このように、間違いを起こしやすい。【０００５】  本発明は、従来の『屈曲部が施されているという形状の特徴をもっているなわ編み針』の有する、このような問題点に鑑みてなされたものである。その目的とするところは、なわ編みやその他の模様編み等を行う場合に、簡単に、かつ、前述したような間違いを起こさないで、編み目の移し目が出来るようにしようとするものである。
【課題を解決するための手段】
【０００６】  従来のなわ編み針の片側一方のみの端の、円錐形のようになっている部分を取り除いたところに、筒状の穴を開ける。よって、このなわ編み針の長さは、片側一方の針先部分の長さがないぶん、従来のなわ編み針の長さよりも短い長さとなる。その、短いことによって、このなわ編み針の筒状の穴に、棒針の針先部分をはめ込んで作業をする際や、また、はめ込んだ針先部分を抜きとる作業をする際に、作業がしやすくなる。【０００７】  また、なわ編み針の片側一方のみの端に開ける筒状の穴は、なわ編み針の太さの直径の６〜７割の直径をもつ穴にする。この割合の直径をもつ穴を開けることにより、穴の側壁面の厚さは、このなわ編み針使用時に必要な強度を持ちつつも、なわ編み針に開けたこの穴に、棒針の針先部分をはめ込んだ時に、棒針となわ編み針が一本の編み針のような、なめからな外形となれる程度の薄さも確保できる。【０００８】  さらに、既存の『屈曲部が施されているという形状であるなわ編み針』には、どのような形状の屈曲部が施されてあるなわ編み針にも、それぞれ太さの違いで３種類の太さのものがあり、このような筒状の穴を開けることを想定した場合においても、太さの直径の６〜７割という、この割合の直径を持つ穴を開けることにより、３種類の太さのなわ編み針をもってすれば、どの太さの棒針の針先部分も、いずれかのなわ編み針の穴と対応でき、はめ込んで使うことができる。既存の細なわ編み針には、０号棒針から対応でき、中なわ編み針には３号棒針から、太なわ編み針には５号棒針から対応できる。【０００９】  あるいは、１本のなわ編み針で、すべての太さの棒針と対応できるようにと考えるならば、直径３．５ｍｍ太さのなわ編み針を作り、そのなわ編み針に、直径の６割である、直径２．１ｍｍの筒状の穴を開けると、直径２．１ｍｍの太さの０号棒針から、すべての太さの棒針に対応できるなわ編み針が出来る。しかも、このなわ編み針の太さは、既存の細なわ編み針と中なわ編み針の間の太さであり、細なわ編み針１本ですべての太さの棒針と対応させようとした場合よりも、使いやすい太さとなる。【００１０】  また『屈曲部が施されているという形状の特徴をもっているなわ編み針』の片側一方のみの端に開ける筒状の穴の深さは、なわ編み針の屈曲部へむかって屈折していく部分の辺りまでがよい。それ以上の深さは、このなわ編み針を使用する際に必要がないし、それ以上の深さにすると、このなわ編み針の強度が弱まってしまうからである。【００１１】  そして、この筒状の穴の穴底部分の形は、棒針の先のように尖った形にするのではなく、丸みを帯びた形にするのがよい。様々な太さの棒針と対応できるようにするためでもあり、この穴に棒針の針先部分をはめ込んだり、穴から抜きとったりする際に、その作業がしやすくなるようにするためでもある。【００１２】  また『屈曲部が施されているという形状の特徴をもっているなわ編み針』の片側一方のみの端に開ける筒状の穴は、棒針の針先部分をはめ込む部分であるので、穴の入り口は、はめ込んだ棒針となわ編み針のつなぎ目部分となるわけである。よって、このつなぎ目部分に毛糸がひっかからないよう、穴の側壁面の外面から穴の入り口にかけての形を、流線形の���めらかな形にする。
【発明の効果】
【００１３】  移したい編み目がかかっている棒針の右針先部分を、編み目を移す先の『屈曲部が施されているという形状であるなわ編み針』の筒状の穴にはめ込むことで、このなわ編み針に開いている筒状の穴と棒針の針先部分との凹凸が噛み合い、一本の編み針のような状態に出来るため、従来のようになわ編み針単独で棒針にかかっている編み目から編み目１目１目を拾うようにして行う「拾い目」をしなくとも、棒針からなわ編み針へと、移したい編み目をスライドさせるだけで、移し目が簡単に出来る。【００１４】  移し目が簡単に出来るので、棒針にかかっている編み目からなわ編み針へと移したい編み目を１目１目拾うようにして「拾い目」をして移し目をしていた従来のなわ編み針を使った時に起こりやすかった、次のような間違いを起こさなくなる。移し目をするために「拾い目」を行おうと試みたときに編み目を落としてしまったり、また、その落としてしまった編み目を再び拾おうとしたときに編み目の向きを変えて拾ってしまったりする間違いである。【００１５】  また、棒針にかかっている編み目からなわ編み針へと移したい編み目を１目１目拾うようにして行っていた「拾い目」の行程をしなくてもよいことによって、移し目が簡単に出来るので、編むスピードも速くなり、効率的にもなる。
【発明を実施するための最良の形態】
【００１６】  図を参照して説明する。『屈曲部が施されているという形状であるなわ編み針の筒状の穴が開いている方を左側にして使う。休み目とするためになわ編み針へと移したい編み目図１０のｃとｄがかかっている棒針の右針先部分を、なわ編み針の筒状の穴にはめ込む。そうすることによって、なわ編み針に開いている筒状の穴と棒針の針先部分との凹凸が噛み合い、図４に示されるように一本の編み針のようになる。その後、図１０から図１１に示されるように、移したい編み目のｃとｄを棒針からなわ編み針の方へスライドさせて移す。後は、はめ込んだ棒針の針先部分をなわ編み針から抜きとり、従来のなわ編み針を使用した時の要領と同じく、図８から図９に示されるように、なわ編み針の右針先部分から休み目となっている編み目を編み進める。また（０００２）でも述べた編み進め方に係わってだが、なわ編み針からもとの棒針へ、編んでいきたい編み目を移してから編み進めていくという方法も、本発明のなわ編み針を利用した場合、容易に行うことができる編み進め方の方法となる。なぜなら、また本発明のなわ編み針の筒状の穴と棒針の針先部分との凹凸を噛み合わせて一本の編み針のようにすれば、容易に移し目ができるからである。よって、容易に行える移し目を行ってから、棒針と棒針にて編み進めていくことも、充分に容易な編み進め方となるものと思われる。
【図面の簡単な説明】
【００１７】
【図１】本発明のなわ編み針を透視図にして示した図である。
【図２】図１のＡ−Ａの断面図である。断面図の外周も内周も円形である。Ｃは筒状の穴の側壁面の厚さを示している。Ｄは筒状の穴の断面の直径を示している。この断面図は、筒状の穴の側壁面の厚さが、このなわ編み針使用時に必要な強度を有する位であるものの、なるべく薄くあること、そして、筒状の穴の断面の直径が、このなわ編み針の太さの直径の、６〜７割であることを示した断面図である。
【図３】（イ）図１のＢの部分の拡大図である。（ロ）図１のＢの部分を斜めからとらえ、立体的に示した拡大図である。
【図４】本発明のなわ編み針使用時の状態の一例として、本発明のなわ編み針の筒状の穴に、棒針の針先部分をはめ込んだ時の、つなぎ目部分の様子を、透視図にして示した図である。
【図５】図６から図９に示されるような、編み目２目と編み目２目を交差させて編まれるなわ編みを行う場合の編み目記号である。
0004304698.tif 000002
【符号の説明】
【００１８】Ａ−Ａ  本発明のなわ編み針の筒状の穴を、図２に示されるような断面図にして示すための、切断面を指した線に付けた符号である。Ｂ      本発明のなわ編み針の筒状の穴の入り口を、図３に示されるような拡大図にして示すための、拡大指定部分に付けた符号である。Ｃ      図１のＡ−Ａの断面図である図３の中の、筒状の穴の側壁面の厚さを指した符号である。Ｄ      図１のＡ−Ａの断面図である図３の中の、筒状の穴の直径を指した符号である。Ｉ      本発明のなわ編み針を指した符号である。ＩＩ    本発明のなわ編み針の筒状の穴に、はめ込んだ棒針を指した符号である。１      棒針を指した符号である。２      棒針を指した符号である。３      従来のなわ編み針を指した符号である。４      本発明のなわ編み針を指した符号である。ａ〜ｊ  編み目を指した符号である。ａ〜ｊの編み目のうち、ｃとｄの編み目は、なわ編みの行程において、ｅとｆの編み目と交差して編まれるようにするために、棒針からなわ編み針へと移され、休み目となる編み目である。ａ〜ｊの編み目のうち、ｅとｆの編み目は、なわ編みの行程において、ｃとｄの編み目と交差するように、休み目となっているｃとｄの編み目に先んじて編まれる編み目である。
【図１】
0004304698.tif 000003
【図２】
0004304698.tif 000004
【図３】
0004304698.tif 000005
【図４】
0004304698.tif 000006
【図５】
0004304698.tif 000007
【図６】
0004304698.tif 000008
【図７】
0004304698.tif 000009
【図８】
0004304698.tif 000010
【図９】
0004304698.tif 000011
【図１０】
0004304698.tif 000012
【図１１】
0004304698.tif 000013
【図１２】
0004304698.tif 000014